(57)【要約】【課題】本発明は、使用者にとって適切な枕を設計するための身体測定器を提供するものである。【解決手段】本発明に係る枕設計のための身体測定器Ｍは、身体の背面及び側面における少なくとも頭部から尻部までの凹凸状態をそれぞれ測定する身体測定器Ｍであって、変位測定部１１０と、該変位測定部１１０を上下に移動させる昇降ロッド１０３とを備え、該変位測定部１１０は、ローラー状の測定子１１１が固定され、測定子１１１が配されている側に向かって一定の付勢力が働くアーム１１３と、昇降ロッド１０３に対する変位測定部１１０の変位を検出する第１検出器と、変位測定部１１０に対する測定子１１１の変位を検出する第２検出器とを有するものである。【選択図】図１３
2006113056.tif 000002
【特許請求の範囲】
【請求項１】
身体の背面及び側面における少なくとも頭部から尻部までの凹凸状態をそれぞれ測定する枕設計のための身体測定器であって、
変位測定部と、該変位測定部を上下に移動させる昇降ロッドとを備え、
該変位測定部は、ローラー状の測定子が固定され、測定子が配されている側に向かって一定の付勢力が働くアームと、昇降ロッドに対する変位測定部の変位を検出する第１検出器と、変位測定部に対する測定子の変位を検出する第２検出器とを有する
ことを特徴とする枕設計のための身体測定器。
【発明の詳細な説明】
【技術分野】
【０００１】
本発明は、枕使用者各人の体格や寝癖に応じた枕を設計するためのものであって、使用者の体格を測定する身体測定器に関する。
【背景技術】
【０００２】
従来より様々な方法にて使用者に適した枕が開発されている。例えば、枕の充填材を収納する収納袋、すなわち枕の側地の内部を複数に区画し、充填材の収納量を区画された部分毎に変化させて枕の高低差をつけたり、また使用者自らが充填材の収納量を調節できるようにした枕が開発されている。
【０００３】
その一方で、身体の形状を測定し、敷き布団等の身体の下部に敷く寝具について、その上に人が仰臥したり、横臥した際の寝具の沈み込み量を測定して各使用者の体型に即した寝具を開発する努力がなされている。
【発明の開示】
【発明が解決しようとする課題】
【０００４】
しかしながら、人が敷き布団などの寝具上に枕をしながら仰臥あるいは横臥したときに、その人にとってその枕の高さが適切であるか否かを判断するには、その人の体格が寝具及び枕へ及ぼす影響と枕が寝具へ及ぼす影響とを考慮しなければならない。
【０００５】
すなわち、寝具についてみた場合、寝具に荷重をかけたときの寝具自体の性能に基づく沈み込み量に対し、寝具を利用する人の体重や寝具と接触する身体の凹凸状態が個人個人によって異なるため、身体と接触する寝具の各部分の現実の沈み込み量が変化する。また、枕についてみた場合、頭の重量による枕の沈み込み量と、枕の重量による寝具の沈み込み量とが、それぞれ箇々に異なることにより枕の高さが変化する。すなわち、見掛けの寝具の厚みと見掛けの枕の高さとからは、実際に枕を使用したときの枕の高さは判断できない。これらの変化を数値的に把握しなければ、人が敷き布団などの寝具上に枕を使用しながら仰臥あるいは横臥したときの枕の高さが想定できず、使用者にとって適切な枕を設計することが困難であった。
【０００６】
そこで、本発明者は、上記の実情に鑑み、使用者にとって適切な枕を設計するための身体測定器を見出した。
【課題を解決するための手段】
【０００７】
本発明に係る枕設計のための身体測定器は、身体の背面及び側面における少なくとも頭部から尻部までの凹凸状態をそれぞれ測定する身体測定器であって、変位測定部と、該変位測定部を上下に移動させる昇降ロッドとを備え、該変位測定部は、ローラー状の測定子が固定され、測定子が配されている側に向かって一定の付勢力が働くアームと、昇降ロッドに対する変位測定部の変位を検出する第１検出器と、変位測定部に対する測定子の変位を検出する第２検出器とを有することを特徴とするものである。
【０００８】
このような身体計測器を採用すると、身体の身長及び体重を考慮し、測定により得られた身体の背面及び側面における頭部から尻部にかけての凹凸状態、及び、身体の下部に敷く寝具の沈み込み量の各測定結果に基づいて、枕を設計することができる。
【発明の効果】
【０００９】
本発明に係る枕設計のための身体測定器は、身体の身長及び体重を考慮し、測定により得られた身体の背面及び側面における頭部から尻部にかけての凹凸状態、及び、身体の下部に敷く寝具の沈み込み量の各測定を行うことができるので、その測定結果に基づいて、枕の使用者である被測定者に対して適切な高さ及び沈み込み量を有する枕を設計することができる。しかも、仰臥状態で眠る方が寝やすい人あるいは横臥状態で眠る方が寝やすい人等のように各人の好みに合わせた適切な高さの枕を設計することができる。したがって、本発明に係る枕は安眠状態を長時間継続することができ、十分な睡眠をとることができるため、現代人に特有の慢性的な睡眠不足を解消でき、健康が促進される。
【発明を実施するための最良の形態】
【００１０】
本発明に係る好適な実施例を添付の図面に基づいて詳細に説明する。
【００１１】
〔枕の構成〕
図１〜図１２は、本実施例に係る枕の構成を示す。図１は枕の側地を上から見た一部切欠斜視図であり、図２は枕の側地を下から見た斜視図であり、図３は開口部の部分拡大斜視図であり、図４は枕基材の斜視図であり、図５は枕の側地に充填材及び枕基材を収納した状態を示す一部切欠斜視図であり、図６は枕の側地に充填材及び枕基材を収納した状態の中央横断面図であり、図７は図６に示す枕において充填材の充填量を変化させた状態の中央横断面図であり、図８は枕の側地に充填材及び枕基材を収納した状態の中央縦断面図であり、図９は枕の側地の変更例を示す一部切欠斜視図であり、図１０は枕基材の変更例を示す斜視図であり、図１１は図９に示す枕の側地に充填材及び図１０に示す枕基材を収納した状態の中央横断面図であり、図１２は図９に示す枕の側地に充填材及び図１０に示す枕基材を収納した状態の中央縦断面図である。
【００１２】
図１及び図２に示すように、枕側地Ａは、その上面側に粒状の充填材Ｂを収納する袋体１０を配し、下面側にクッション材からなる枕基材Ｃを収納する基材収納部５０を配してなるものである。
【００１３】
袋体１０は、袋体１０を構成する上面生地１１及び下面生地１２の内側において、長さ方向に１本の連続した細幅の襠布１３が２箇所の屈曲点ａ、ｂにて屈曲するようにして縫着され、またこの襠布１３の各屈曲点ａ、ｂから幅方向の両方に延びる細幅の襠布１４ａ、１５ａ、１４ｂ、１５ｂが縫着されており、これらの襠布により袋体１０には６箇所の区画室１６ａ、１６ｂ、１６ｃ、１６ｄ、１６ｅ、１６ｆが形成されてなるものである。なお、このように構成された区画室のうち１６ｂの部分が使用者の頭を載置する部分として設計される。また、区画室１６ａ、１６ｂ、１６ｃは、長さ方向に配されたスライドファスナー１７ａ及び各一対の面ファスナー１８ａ、１８ｂ、１８ｃによりそれぞれ開閉自在な開口部１９ａ、１９ｂ、１９ｃが設けられており、区画室１６ｃ、１６ｄ、１６ｅは、長さ方向に配されたスライドファスナー１７ｂ及び各一対の面ファスナー１８ｄ、１８ｅ、１８ｆによりそれぞれ開閉自在な開口部１９ｄ、１９ｅ、１９ｆが設けられている。前記の各開口部の上下には、図２及び図３に示すように、内包される充填材Ｂが外部に零れ出ないように逆止弁となる当て布２０ａ、２０ｂが内方に向けて縫着されており、この当て布２０ａ、２０ｂに前記の面ファスナー１８ａ、・・・が取着されていて、該面ファスナーを結合することにより、各開口部１９ａ、・・・を塞ぐ構造となって逆止弁効果が向上するように構成されている。また、このように構成したことによりスライドファスナー１７ａ，１７ｂが開放されただけでは充填材Ｂが簡単に零れ出ない利点がある。なお、袋体１０を構成する上面生地１１及び当て布２０ａ、２０ｂは、枕の通気性を高め、使用中の蒸れを防止するするためにメッシュ生地などを使用するのが好ましい。
【００１４】
基材収納部５０は、前記のスライドファスナー１７ａ、１７ｂの取付箇所に両端部５１ａ、５１ｂを縫着して各スライドファスナー間を架け渡すように配された底布５１から構成され、長さ方向の両側部は枕基材が出し入れできるように開口している。
【００１５】
図４は、前記基材収納部５０に収納される枕基材Ｃであって、復元速度が緩いクッション材を布地で包被して構成されてなり、長さ幅方向中央部Ｃ１が薄く、中央部Ｃ１を除く両側部Ｃ２が厚く形成されてなるものである。
【００１６】
図５は、例として、枕側地Ａの袋体１０の各区画室１６ａ、１６ｂ、１６ｃ、１６ｄ、１６ｅ、１６ｆに充填材Ｂを収納し、基材収納部５０に枕基材Ｃを挿入して枕を形成したものである。この枕の形状は、枕基材Ｃの中央部Ｃ１が薄く、その両側部Ｃ２が厚く形成されているために、図６に示されるように、区画室１６ｂの部分が低く、その両側の区画室１６ａ、１６ｃの部分が高くなる。また、区画室１６ｂへの充填材Ｂの充填量を少なくし、その両側の区画室１６ａ、１６ｃ、への充填材Ｂの充填量を多くすれば、図７に示すように、その高低差は大きくなる。このようにして長さ方向の高低を調整することができる。また、本実施例においては区画室１６ｂへの充填量よりも区画室１６ｅへの充填量を多くしているので、図８に示すように頭を載置する区画室１６ｂよりも区画室１６ｅが高くなっている。このように区画室１６ｂ、１６ｅへの充填量を調整することにより幅方向の高低を調整することができる。
【００１７】
図９は、上記した枕の側地Ａの構成を一部変更した枕の側地Ａ’を示し、変更した構成は、袋体１０’の襠布１３’を設けた位置であって、枕の側地Ａにおいて設けた襠布１３の位置より若干端部側に移設したものである。このように構成することにより、区画室１６ａ’、１６ｂ’、１６ｃ’、１６ｄ’、１６ｅ’、１６ｆ’の面積が変化し、特に頭を載置する区画室１６ｂ’の面積が大きくなる。
【００１８】
図１０は、上記した枕基材Ｃの構成を一部変更した枕基材Ｃ’を示し、変更した構成は、枕基材Ｃが中央部Ｃ１薄く、両側部Ｃ２を厚くしたのに対し、枕基材Ｃ’は全体的に薄くして高低差をなくし、フラットにしたものである。
【００１９】
上記の枕の側地Ａ’に枕基材Ｃ’を収納し、かつ、袋体１０’に充填材Ｂを充填して枕を構成すると、例として、図１１の中央横断面及び図１２の中央縦断面図に示すように、それぞれ頭を載置する区画室１６ｂ’およびその両側の区画室１６ａ’、１６ｃ’の部分が全体的に凹凸の少ないフラットな枕が完成する。尤も区画室１６ａ’、１６ｃ’の部分の充填量を増やせば当該部分の高さを高くすることができる。
【００２０】
このように枕側地Ａ、Ａ’を構成したので、各区画室に充填する充填材Ｂの分量を適宜調節することにより枕の高さを調節することができる。また、厚みの異なる枕基材Ｃ、Ｃ’を基材収納部５０に収納することにより、枕全体の高さを調整し、各区画室毎の充填材Ｂの分量を調整することにより、各区画室毎の枕の高さを微調整することができる。
【００２１】
〔計測器の構成〕
次に枕設計のための身体計測器の構成について詳述する。
【００２２】
図１３〜図１９は身体計測器を示し、図１３の（ａ）は本実施例の身体測定器の平面図、（ｂ）はその正面図、（ｃ）はその側面図であり、図１４は図１３（ｂ）の部分拡大図であって、変位測定部の正面図であり、図１５は図１３（ｃ）の部分拡大図であって、変位測定部の側面図であり、図１６は図１３（ａ）の部分拡大図であって、変位測定部の平面図であり、図１７は身体測定器の制御に関するブロック図であり、図１８は身体測定器を使用して身体の背面側を測定している状態を示す模式図であり、図１９は身体測定器を使用して身体の側面側を測定している状態を示す模式図である。
【００２３】
図１３において、Ｍは身体測定器を示し、１０１は被測定者が載る踏み台であり、踏み台１０１の下面には４個のゴムブッシュ１０５が配設されており、身体測定器Ｍの安定性を維持している。１０３は、後述する変位測定部１１０を上下に移動させるときのレールの機能を果たす昇降ロッドである。
【００２４】
なお、本実施例において被測定者の体重及び身長は、自己申告によりデータを得てもよく、また、体重計や身長計を別途用意して測定してもよく、さらに該踏み台１０１に体脂肪率計を備えた体重計を内蔵し、足形１０６の上に載れば体重及び体脂肪率が測定できるように構成し、前記の昇降ロッド１０３及び変位測定部１１０を利用して、被測定者の身長が測定できるように構成してもよい。
【００２５】
次に図１４〜図１６に基づき変位測定部１１０の構成について詳細に説明する。図において１１１はローラー状の測定子であり、アーム１１３に固定されている。該アーム１１３は測定子１１１が配されている側に向かってスプリングなどにより一定の付勢力が働くようになっており、被測定者の背中部などにおける凹凸及び曲線形状に沿って無理なくスムーズに出入するようになっている。また、アーム１１３は、その長手方向に回転防止のための溝が入っている。測定子１１１は、その周囲にスポンジなどの弾性材料で包被されており、被測定者に対して違和感を感じさせないようにしている。
【００２６】
変位測定部１１０は、自重により自然落下するしくみになっており、その落下速度を調整するための速度調整用つまみ１１４が組み込まれていて、測定時に適度の速度で測定できるようになっている。また、変位測定部１１０の底面の側部には、変位測定部１１０を手動で上下に移動させることが可能なように取っ手１１９が配設されており、測定者が変位測定部１１０を自由に移動できるので便利である。さらに、変位測定部１１０を上下動させる必要のない不使用時などには、変位測定部１１０の落下を防止するために落下防止用ノブ１１５が配設されており、この落下防止用ノブ１１５を緩めると、変位測定部１１０は自重により自然落下する状態となり、速度調整用つまみ１１４を調整することにより適度な速度で落下するように構成されている。
【００２７】
また、変位測定部１１０の内部にはエンコーダが２個設置されており、その一つは昇降ロッド１０３に対する変位測定部１１０の変位を検出する第１検出器として機能し、他の１つは変位測定部１１０に対する測定子１１１の変位を検出する第２検出器として機能する。そして、変位測定部１１０の底面に接続されるケーブル１２１を介して変位測定部１１０と接続するポイントスイッチ１２０が設けられており、このポイントスイッチ１２０を、変位測定部１１０の落下中における任意の位置、すなわち計測点で押すことにより、その計測点における第１検出器により計測された変位測定部１１０の変位量と、第２検出器により計測された測定子１１１の変位量とが測定できるようになっている。また、変位測定部１１０の底面に接続されるケーブル１２５を介して変位測定部１１０と接続する電源用のＡＣアダプタ１２３とデータ出力のためのコネクタ１２４とが設けられており、ＡＣアダプタ１２３を介して変位測定部１１０に電気が供給され、ポイントスイッチ１２０により決定された計測点における各検出器により検出された変位量がコネクタ１２４を通じてパーソナルコンピュータ等の情報処理装置（以下、単に「パソコン」という）に出力できるようになっている。なお、パソコンに対しては、シリアルインターフェースの規格ＲＳ−２３２Ｃ通信によるパソコンからの読み出し要求コマンドにより、計測した全データをアスキー形式で出力する。なお、アスキー形式以外で出力してもよい。
【００２８】
さらに、変位測定部１１０の正面パネルには、その下部に変位測定部１１０を操作する操作部１３０が設けられ、中央部に変位測定部１１０の状況が発光ダイオード（以下、単に「ＬＥＤ」という）による点灯、点滅及び消灯により確認できる表示部１４０が設けられている。そして、操作部１３０には、計測を開始する際及び終了する際に操作する［計測開始／終了］スイッチ１３１及び再計測を行うための［再計測］スイッチ１３２が配されており、１回目に［計測開始／終了］ボタンを押すと計測を開始し、２回目に［計測開始／終了］ボタンを押すことで計測を終了する。また、表示部１４０には、計測中であることを表示する［計測中］表示１４１、ポイントスイッチ１２０を押したときのみ表示する［位置確認］表示１４２、計測が完了したことを知らせる［計測完了］表示１４３、及び、計測中にエラーが発生したことを知らせる［エラー］表示１４４が配設されている。
【００２９】
なお、変位測定部１１０にはデータ処理部１５０が内蔵されており、図１７に示すように、データ処理部１５０は、操作することによりデータ処理部１５０に信号を発信する［計測開始／終了］スイッチ１３１及び［再計測］スイッチ１３２から構成される操作部１３０及びポイントスイッチ１２０が接続されている。また、昇降ロッド１０３に対する変位測定部１１０の変位、すなわち垂直方向の変位を検出する第１検出器１５１及び変位測定部１１０に対する測定子１１１の変位、すなわち水平方向の変位を検出する第２検出器１５２が接続されている。さらにデータ処理部１５０にはこれらの入力信号及びパソコンから送信される指令信号に基づいて点灯、点滅及び消灯する［計測中］表示１４１、［位置確認］表示１４２、［計測完了］表示１４３、［エラー］表示１４４からなる表示部１４０が接続されている。このようにデータ処理部１５０は、これに入力された信号に基づいてデータ処理を行い、ＲＳ−２３２Ｃ通信を通じてパソコンに出力されるようになっている。
【００３０】
上記のように構成したことにより、図１８及び図１９に示すように、測定点を決定するポイントスイッチ１２０をケーブル１２１を介してリモートコントロール的に片手で簡単に操作できるようになっている。また、操作部１３０及び表示部１４０を１つの面にまとめて配置したので、操作し易く、かつ、確認し易い利点がある。
【００３１】
次に上記構成をなす身体測定器Ｍの操作方法について詳述する。その概要は、ポイントスイッチ１２０を持ち、変位測定部１１０が落下している間に、各計測点のところでポイントスイッチ１２０を押し、その計測点における変位量を測定する。
【００３２】
具体的操作手順は以下のとおりである。
【００３３】
（１）落下防止用ノブ１１５で変位計測部１１０が落下しないように固定する。
【００３４】
（２）アーム１１３を基準位置に固定する。
【００３５】
（３）パソコンに、ＲＳ−２３２Ｃのコネクタ１２４を接続する。
【００３６】
（４）ＡＣアダプタ１２３をＡＣコンセントに差し込む。そうすると、電源が入り、［計測中］表示１４１及び［計測完了］表示１４３の各ＬＥＤが点滅する。
【００３７】
（５）パソコンにインストールされている身体計測器用ソフトを立ち上げる。
【００３８】
（６）パソコンから、エンコーダリセットコマンドを身体測定器Ｍにおける変位測定部１１０のデータ処理部１５０に送信し、水平方向のデータの零点補正を行う。
【００３９】
以上（１）〜（６）までは、電源投入時にのみ一度行うだけでよい。
【００４０】
（７）パソコンに、被測定者の氏名、年齢、性別、身長及び体重等の必要なデータ入力する。
【００４１】
（８）パソコンから、計測準備コマンドを身体計測器Ｍにおける変位測定部１１０のデータ処理部１５０に送信し、計測データ待ちの状態にする。このときには、［計測完了］表示１４３のＬＥＤが消え、［計測中］表示１４１のＬＥＤのみが点滅する。
【００４２】
（９）被測定者を踏み台１０１に載せ、直立姿勢で静止させる。
【００４３】
（１０）被測定者の頭の頂部に測定子１１１を移動し、落下防止用ノブ１１５で変位測定部１１０が落下しないように固定する。
【００４４】
（１１）［計測開始／終了］スイッチ１３１を押す。このとき、［計測中］表示１４１のＬＥＤが点滅から点灯に変わる。
【００４５】
（１２）落下防止用ノブ１１５を解除し、変位計測部１１０を落下させる。
【００４６】
（１３）頭頂部から背中を経由して踵までの間を測定子１１１がゆっくりなぞりながら降下し、凹凸及び曲面形状を測定する。その途中で５個所の計測点（例えば、頭、首、背、腰、尻等）で、ポイントスイッチ１２０を押し、その計測点におけるデータをデータ処理部１５０に送信する。なお、ポイントスイッチ１２０を押す毎に、［位置確認］表示１４２のＬＥＤが１秒だけ点灯する。
【００４７】
（１４）［計測開始／終了］スイッチ１３１を押し、計測を終了する。このとき［計測中］表示１４１のＬＥＤが消え、［計測完了］表示１４３のＬＥＤが点灯する。
【００４８】
なお、測定をやり直す場合は［再計測］スイッチ１３２を押し、上記（１０）に戻る。
【００４９】
（１５）パソコンから、データ収録コマンドを、身体測定器Ｍにおける変位測定部１１０のデータ処理部１５０に送信し、上記の測定により得られた計測データを読みとる。
【００５０】
（１６）次に、パソコンから、リセットコマンドを、身体測定器Ｍにおける変位測定部１１０のデータ処理部１５０に送信し、初期状態にする。このとき、［計測中］表示１４１及び［計測完了］表示１４３の各ＬＥＤが点滅する。
【００５１】
以上で被測定者１人の測定が完了し、次の被測定者の測定をする場合は上記の（７）から行う。
【００５２】
図１８は、身体の背面側の凹凸状態を測定するものであるが、図１９に示すように被測定者の身体の向きを変えることにより身体の側面側の凹凸状態を測定することができる。
【００５３】
また、これらの検出器から測定されるデータから被測定者の身体背面及び側面の凹凸形状をグラフィック化することができる。例えば、第１検出器１５１から得られるデータを横軸にとり、第２検出器１５２から得られるデータを縦軸にとるとすれば、図２０及び図２１に示すように被測定者の仰臥及び横臥状態において、身体背面又は側面の突出した部分と窪んだ部分との凹凸形状をそのままそれぞれ曲線で表示することができる。よって、本身体測定器Ｍによれば、被測定者の身体背面及び側面の凹凸形状が視覚的に把握することができるようになるので、極めて便利である。したがって、グラフィック化が極めて容易となり、かつ、被測定者のデータが完全に記録されるので、該データの利用性が著しく向上する。
【００５４】
なお、本実施例に係る身体測定器Ｍは、頭部から踵部までの身体の背面及び側面を測定できるように構成されているが、踏み台１０１の位置に椅子を置いて上半身のみを測定するようにして使用することもできる。また、本実施例に係る身体測定器Ｍにおいては、広幅測定子１１１として長尺のローラ状のものを使用しているが、これに限られるものではなく、身体背面又は側面をなぞっていけるものであればよい。また、本実施例においては、身体の背面又は側面に測定子を当接させる方法を採用しているが、身体背面及び側面に当接させずに行うように変更することも可能である。すなわち、測定子から光や音などの信号を発射させ、その反射により背面又は側面の隆起の度合いを測定するようにしてもよい。
【００５５】
〔枕の設計〕
先ず、上記した身体計測器Ｍにより、枕の使用者すなわち被測定者の身長及び体重を確認し、身体の背面及び側面における頭部から尻部までの凹凸状態をそれぞれ測定する。以下に測定結果の１例を述べる。
【００５６】
被測定者は身長１６３ｃｍ、体重５５ｋｇの男性であり、被測定者の身体の背面における頭部から尻部までの凹凸状態の測定結果は、図２０の立位背面測定結果グラフに示される。また、被測定者の身体の側面における頭部から尻部までの凹凸状態の測定結果は、図２１の立位側面測定結果グラフに示される。
【００５７】
次に被測定者が使用する敷き布団等の身体の下に敷く寝具の沈み込み量を測定する。測定結果の１例として、１年以上使用した敷き布団の沈み込み量が１０ｍｍ、同時に使用するウレタンマットレスの沈み込み量が１５ｍｍで、合計２５ｍｍの沈み込み量であった。なお、寝具の沈み込み量の測定は必ずしも測定器で行う必要はなく、測定者が寝具を押圧した感触などで得られる沈み込み量を採用してもよい。
【００５８】
そこで、上記の測定結果から、仮想的に寝具の上に被測定者が仰臥した状態において、頭部と寝具との間を枕で埋めた図面を作成すると、図２２のようになる。また、仮想的に寝具の上に被測定者が横臥した状態において、頭部と寝具との間を枕で埋めた図面を作成すると、図２３のようになる。この仰臥状態及び横臥状態は、立位の姿勢における頭部の位置がそのまま維持できるように枕を頭部の下に敷くことが首や肩に対して余分な負担がかからず、安眠できることに基づいている。
【００５９】
そして、図２２及び図２３に示される仮想の枕の高さを、図８及び図１２に示す枕の中央縦断面図に当てはめ、枕自体の沈み込み量を考慮に入れて、所望の枕の高さになるように袋体の区画室１６ｂ又は区画室１６ｂ’に充填材を充填する。なお、区画室１６ａ、１６ｃ又は１６ａ’、１６ｃ’に充填する充填材の分量は、区画室１６ｂ又は区画室１６ｂ’へ充填した充填材の分量により適宜決定する。最終的には、このような設計方法にて製作された枕を被測定者が実際に使用し、各区画室の充填材の分量を微調整する。
【００６０】
上記のような設計方法を採用すると、身体の身長及び体重、測定により得られた身体の背面及び側面における少なくとも頭部から尻部にかけての凹凸状態、及び、身体の下部に敷く寝具の沈み込み量の各測定結果に基づいて、複数に区画された充填材を収納する袋体内部の各区画室に充填材の量を調整して充填することにより、枕の使用者である被測定者に対して適切な高さ及び沈み込み量を有する枕を設計することができる。しかも、仰臥状態で眠る方が寝やすい人あるいは横臥状態で眠る方が寝やすい人等のように各人の好みに合わせた適切な高さの枕を設計することができる。したがって、本発明に係る枕は安眠状態を長時間継続することができ、十分な睡眠をとることができるため、現代人に特有の慢性的な睡眠不足を解消でき、健康が促進される。
【００６１】
また、上記の枕の設計方法における枕使用者に関する各測定結果及び情報を記録して顧客を管理する方法を採用すれば、新たに枕を設計するときに過去の記録と比較してより適切な枕を提供することができるので、極めて便利である。
【００６２】
さらに、上記の顧客の管理方法における枕使用者の各測定結果及び情報に基づいて身体の下部に敷く寝具を設計する方法を採用すれば、顧客の寝環境に変化があった場合でも、その変化に応じて、適切な枕及び身体の下に敷く寝具を即座に提供することができ、寝環境全体を向上させることができる。
【図面の簡単な説明】
【００６３】
【図１】枕の構成を示す図であって、枕の側地を上から見た一部切欠斜視図である。
【図２】枕の側地を下から見た斜視図である。
【図３】開口部の部分拡大斜視図である。
【図４】枕基材の斜視図である。
【図５】枕の側地に充填材及び枕基材を収納した状態を示す一部切欠斜視図である。
【図６】枕の側地に充填材及び枕基材を収納した状態の中央横断面図である。
【図７】図６に示す枕において充填材の充填量を変化させた状態の中央横断面図である。
【図８】枕の側地に充填材及び枕基材を収納した状態の中央縦断面図である。
【図９】枕の側地の変更例を示す一部切欠斜視図である。
【図１０】枕基材の変更例を示す斜視図である。
【図１１】図９に示す枕の側地に充填材及び図１０に示す枕基材を収納した状態の中央横断面図である。
【図１２】図９に示す枕の側地に充填材及び図１０に示す枕基材を収納した状態の中央縦断面図である。
【図１３】本発明に係る枕設計のための身体測定器の構成を示す図であって、（ａ）は身体測定器の平面図、（ｂ）はその正面図、（ｃ）はその側面図である。
【図１４】図１３（ｂ）の部分拡大図であって、変位測定部の正面図である。
【図１５】図１３（ｃ）の部分拡大図であって、変位測定部の側面図である。
【図１６】図１３（ａ）の部分拡大図であって、変位測定部の平面図である。
【図１７】身体測定器の制御に関するブロック図である。
【図１８】身体測定器を使用して身体の背面側を測定している状態を示す模式図である。
【図１９】身体測定器を使用して身体の側面側を測定している状態を示す模式図である。
【図２０】身体測定器を使用して身体の背面側を測定した結果を示す立位背面測定結果グラフである。
【図２１】身体測定器を使用して身体の側面側を測定した結果を示す立位側面測定結果グラフである。
【図２２】立位背面測定結果グラフに基づいて作成した仰臥状態の仮想図である。
【図２３】立位側面測定結果グラフに基づいて作成した横臥状態の仮想図である。
【符号の説明】
【００６４】
Ａ・・・・枕の側地              Ｂ・・・・充填材
Ｃ・・・・枕基材                Ｃ１・・・中央部
Ｃ２・・・側部                  １０・・・袋体
１１・・・上面生地              １２・・・下面生地
１３・・・襠布
ａ・・・・屈曲点                ｂ・・・・屈曲点
１４ａ・・襠布                  １５ａ・・襠布
１４ｂ・・襠布                  １５ｂ・・襠布
１６ａ・・区画室                １６ｂ・・区画室
１６ｃ・・区画室                １６ｄ・・区画室
１６ｅ・・区画室                １６ｆ・・区画室
１７ａ・・スライドファスナー    １７ｂ・・スライドファスナー
１８ａ・・面ファスナー          １８ｂ・・面ファスナー
１８ｃ・・面ファスナー          １８ｄ・・面ファスナー
１８ｅ・・面ファスナー          １８ｆ・・面ファスナー
１９ａ・・開口部                １９ｂ・・開口部
１９ｃ・・開口部                １９ｄ・・開口部
１９ｅ・・開口部                １９ｆ・・開口部
２０ａ・・当て布                ２０ｂ・・当て布
５０・・・基材収納部            ５１・・・底布
５１ａ・・端部                  ５１ｂ・・端部
Ａ’・・・枕の側地              Ｃ’・・・枕基材
１０’・・袋体                  １３’・・襠布
１６ａ’・区画室                １６ｂ’・区画室
１６ｃ’・区画室                １６ｄ’・区画室
１６ｅ’・区画室                １６ｆ’・区画室
Ｍ・・・・身体測定器            １０１・・踏み台
１０３・・昇降ロッド            １０５・・ゴムブッシュ
１０６・・足形                  １１０・・変位測定部
１１１・・測定子                １１３・・アーム
１１４・・速度調整用つまみ      １１５・・落下防止用ノブ
１１９・・取っ手                １２０・・ポイントスイッチ
１２１・・ケーブル              １２３・・ＡＣアダプタ
１２４・・コネクタ              １２５・・ケーブル
１３０・・操作部                １３１・・［計測開始／終了］スイッチ
１３２・・［再計測］スイッチ    １４０・・表示部
１４１・・［計測中］表示        １４２・・［位置確認］表示
１４３・・［計測完了］表示      １４４・・［エラー］表示
１５０・・データ処理部          １５１・・第１検出器
１５２・・第２検出器
【図１】
2006113056.tif 000003
【図２】
2006113056.tif 000004
【図３】
2006113056.tif 000005
【図４】
2006113056.tif 000006
【図５】
2006113056.tif 000007
【図６】
2006113056.tif 000008
【図７】
2006113056.tif 000009
【図８】
2006113056.tif 000010
【図９】
2006113056.tif 000011
【図１０】
2006113056.tif 000012
【図１１】
2006113056.tif 000013
【図１２】
2006113056.tif 000014
【図１３】
2006113056.tif 000015
【図１４】
2006113056.tif 000016
【図１５】
2006113056.tif 000017
【図１６】
2006113056.tif 000018
【図１７】
2006113056.tif 000019
【図１８】
2006113056.tif 000020
【図１９】
2006113056.tif 000021
【図２０】
2006113056.tif 000022
【図２１】
2006113056.tif 000023
【図２２】
2006113056.tif 000024
【図２３】
2006113056.tif 000025